(57)【要約】【課題】冷蔵庫、靴箱、ごみ箱など庫内の実容積を浸食することなくデッドスペースに配置できる消臭具を提供する。【解決手段】二酸化ケイ素と酸化亜鉛を主成分とする消臭剤が配合された合成樹脂の射出成形体からなる消臭本体１０を備える消臭具１であり、消臭本体１０は、平板状とし、貫通孔１１を設ける。合成樹脂としてはポリプロピレン（ＰＰ）、ポリエチレン（ＰＥ）、ポリエチレンテレフタレート（ＰＥＴ）、アクリロニトリルブタジエンスチレン共重合合成樹脂（ＡＢＳ）、ポリアミド（ＰＡ）又は塩化ビニル樹脂（ＰＶＣ）のいずれか１つ以上を用いる。【選択図】  図１
0003156575.tif 000002
【実用新案登録請求の範囲】
【請求項１】
二酸化ケイ素と酸化亜鉛を主成分とする消臭剤が配合された合成樹脂の射出成形体からなる消臭本体を備えることを特徴とする消臭具。
【請求項２】
前記消臭本体は、平板であることを特徴とする請求項１に記載の消臭具。
【請求項３】
前記消臭本体は、前記平板の両主面を貫通する貫通孔を有することを特徴とする請求項２に記載の消臭具。
【請求項４】
前記消臭具は、前記消臭本体のみからなることを特徴とする請求項１〜３の何れか一項に記載の消臭具。
【請求項５】
前記消臭剤に含まれる二酸化ケイ素に対する酸化亜鉛の混合率は、２５wt％以上かつ４５wt％以下であることを特徴とする請求項１〜４のいずれか一項に記載の消臭具。
【請求項６】
前記合成樹脂に対する前記消臭剤の配合率は、０．３wt％以上かつ７．５wt％以下であることを特徴とする請求項１〜５のいずれか一項に記載の消臭具。
【請求項７】
前記消臭剤の配合率は、３．０wt％以上かつ６．０wt％以下であることを特徴とする請求項６に記載の消臭具。
【請求項８】
前記合成樹脂は、ポリプロピレン樹脂、ポリエチレン樹脂、ポリエチレンテレフタレート樹脂、アクリロニトリルブタジエンスチレン共重合樹脂、ポリアミド樹脂又は塩化ビニル樹脂のいずれか１つ以上であることを特徴とする請求項１〜７の何れか一項に記載の消臭具。
【請求項９】
冷蔵庫内の消臭用途に用いられる請求項１〜８の何れか一項に記載の消臭具。
【考案の詳細な説明】
【技術分野】
【０００１】
本考案は、冷蔵庫、靴箱、ごみ箱などの庫内の臭いを消臭する消臭具に関するものである。
【背景技術】
【０００２】
冷蔵庫用の消臭具として、活性炭などの消臭剤を直方体の容器に収容したものが知られており、この種の消臭具を冷蔵庫内の棚板などに載置しておくことで庫内の悪臭を吸着することができる。  
【考案の概要】
【考案が解決しようとする課題】
【０００３】
しかしながら、従来の消臭具は、消臭剤を容器に収容する構造であり、しかも庫内の棚板などに載置する仕様であるため、庫内の実容積を浸食するという問題があった。
【０００４】
本考案が解決しようとする課題は、庫内の実容積を浸食することなくデッドスペースに配置できる消臭具を提供することである。
【課題を解決するための手段】
【０００５】
本考案は、二酸化ケイ素と酸化亜鉛を主成分とする消臭剤が配合された合成樹脂の射出成形体からなる消臭本体を備える消臭具により、上記課題を解決する。
【０００６】
上記考案において、消臭本体は、平板状の形状に形成することができ、さらに、一又は複数の貫通孔を形成することができる。
【０００７】
また、上記考案において、本考案の消臭具は、消臭本体のみからなるように形成することができる。
【０００８】
上記考案において、消臭剤に含まれる二酸化ケイ素に対する酸化亜鉛の混合率（酸化亜鉛／二酸化ケイ素の重量比率）は、２５wt％以上かつ４５wt％以下とすることができる。
【０００９】
上記考案において、合成樹脂に対する消臭剤の配合率は、０．３wt％以上かつ７．５wt％以下、好ましくは３．０wt％以上かつ６．０wt％以下とすることができる。
【００１０】
上記考案において、合成樹脂は、ポリプロピレン（ＰＰ）、ポリエチレン（ＰＥ）、ポリエチレンテレフタレート（ＰＥＴ）、アクリロニトリルブタジエンスチレン共重合合成樹脂（ＡＢＳ）、ポリアミド（ＰＡ）または塩化ビニル（ＰＶＣ）のいずれか１つ以上とすることができる。
【考案の効果】
【００１１】
本考案によれば、合成樹脂に消臭剤を配合した射出成形体により消臭本体を構成したので、冷蔵庫、靴箱、ごみ箱などの実容積を浸食することなくデッドスペースに配置することができ、その結果、冷蔵品、靴、ごみなどの収納品を出し入れする際に邪魔にならない消臭具を提供することができる。また、二酸化ケイ素と酸化亜鉛を主成分とする消臭剤とすることで、洗浄等により消臭力を容易に再生することができ、長寿命の消臭具を提供することができる。
【図面の簡単な説明】
【００１２】
【図１】本考案に係る消臭具の一実施の形態を示す斜視図である。
【図２】図１の消臭具を示すII-II線に沿う断面図である。
【図３】図１の消臭具の消臭作用を説明するための概念図である。
【図４】図１の消臭具の消臭作用を説明するための他の概念図である。
【図５】図１の消臭剤のアンモニアに対する消臭効果を示すグラフである。
【図６】図１の消臭剤の硫化水素に対する消臭効果を示すグラフである。
【考案を実施するための形態】
【００１３】
以下、本考案の一実施の形態を図面に基づいて説明する。
図１及び図２に示すように、本実施形態の消臭具１は、平板状の消臭本体１０のみからなり、消臭本体１０には、その一方主面から他方主面に貫通する複数の貫通孔１１が形成されている。なお、同図に示す本実施形態の消臭本体１０では、円形の貫通孔１１を規則的に形成したが、当該貫通孔１１は後述する消臭剤３が露出する消臭面の表面積を大きくするためのものであることから、貫通孔１１の形状・態様は特に限定されず適宜に設定することができる。
【００１４】
このように、消臭本体１０を平板状の形状とすることにより、冷蔵庫等の庫内のデッドスペース、たとえば棚板の裏面や庫内の天井面などに装着することができる。すなわち、消臭本体１０の体積が同じでも、庫内の実容積を浸食することのない部位に選択的に装着することができる。特に平板状の消臭本体１０は、庫内に突出しないため、収納品を出し入れする際に邪魔になるのを防止することができる。なお、消臭本体１０の厚さは、形状や強度に応じて適宜設定することができる。
【００１５】
また、射出成形体である消臭本体１０の形状は平板状にのみ限定されず、平板状の底板の四辺のうちの一辺から上方向に延在する壁を設け、全体をＬ字形状することもできる。同様に、上記底板の四辺のうちの対向する二辺から上方向に延在する壁を設け、全体がコ字形状の例えばブックシェルフ状とすることや、上記底板の四辺のうちの互いに連続する三辺から上方向に延在する壁を設けた、全体がコーナーラック形状とすることもできる。また、底板の四辺から上方向に延在する壁を有する、例えばトレイ形状としてもよい。さらに、消臭本体１０には、取手、基台、スライドレールなどの付属体を設けることもでき、同様に、色や模様なども任意に施すことができる。
【００１６】
このように、消臭本体１０を平板が組み合わされた間仕切り板形状、ブックシェルフ形状、コーナーラック形状、あるいはトレイ形状とすることにより、消臭本体１０を収容の整理整頓用の間仕切り板、コーナーラック又はトレイとして共用することができるため、別途間仕切り板等を庫内に配置する必要がなく、庫内の収容容積を有効に利用することができる。
【００１７】
本実施形態の消臭剤は、無機系化学吸着型の消臭剤であり、化学的作用により臭気を除去又は緩和する機能を有する。本実施形態の消臭剤は、四大悪臭とされるアンモニア、トリメチルアミン、硫化水素及びメチルメルカプタン、並びに吉草酸、フェノール、ＮＯｘ及び低級アルデヒドなどの臭気要因となる物質を化学吸着する機能を有する。
【００１８】
特に本実施形態の消臭剤は、二酸化ケイ素ＳｉＯ２と酸化亜鉛ＺｎＯを主成分とし、二酸化ケイ素を１００重量部としたときに、二酸化ケイ素に対して２５wt％以上かつ４５wt％以下の酸化亜鉛を含むことが望ましい。さらに、本実施形態の消臭剤は、消臭剤の全量に対して５５wt％〜６５wt％の二酸化ケイ素と、１９wt％〜２４wt％の酸化亜鉛とを含むことが望ましい。ちなみに、本実施形態の消臭剤は、２００μm以下、望ましくは１０μm以下、より望ましくは５μm以下の微粒子状とすることで、消臭力を高めることができる。
【００１９】
なお、本実施形態の消臭剤は、（社）東京都食品衛生協会および（財）日本食品分析センターが行う分析結果において、マウスに対する急性経口毒性試験（ＬＤ５０）、マウスに対する局所刺激性（皮膚塗布及び粘膜塗布）試験、変位原生試験において何ら異常が認められず、高い安全性を有することが確認されている。
【００２０】
本実施形態の消臭本体１０の基材である合成樹脂は、ポリプロピレン（ＰＰ）、ポリエチレン（ＰＥ）、ポリエチレンテレフタレート（ＰＥＴ）、アクリロニトリルブタジエンスチレン共重合体（ＡＢＳ）、６６ナイロンなどのポリアミド（ＰＡ）または塩化ビニル（ＰＶＣ）のいずれかの合成樹脂又はこれらのブレンドポリマーを用いることができる。基材として用いられる合成樹脂の種類は、目的とする消臭具１の強度、耐久性、射出成形工程における耐熱温度などの諸条件に応じて適宜選択することができる。ちなみに、本実施形態で用いる消臭剤の耐熱温度は、＋５００℃程度の十分な耐熱性を備えるので、耐熱温度については合成樹脂の物性に応じて決定することができる。また、上述した各合成樹脂には顔料を容易に添加することができるので、消臭本体１０を任意の色に着色することができ、意匠性を高めることができる。
【００２１】
上述した合成樹脂材料に消臭剤を配合し、射出成形法により消臭本体１０を成形する。消臭剤の配合率は、基材である合成樹脂に対し、０．３wt％以上かつ７．５wt％以下とすることができる。０．３wt％未満では消臭性能が不充分である一方で、７．５wt％を超えると合成樹脂の性能が低下するとともに配合率に応じた消臭性能も期待できないからである。消臭性能が効率よく発揮できる観点からは、消臭剤の配合率を３．０wt％以上かつ６．０wt％以下とすることが望ましい。こうした消臭剤の配合率は、消臭本体１０の商品寿命の設定、消臭剤の粒子径、使用する合成樹脂の種類、添加剤、消臭本体１０の形状及び厚さ、加工方法に応じて適宜調整することができる。
【００２２】
なお、消臭剤を配合した合成樹脂を所望の形状に射出成形する手法および条件は特に限定されず、一般的な手法および条件を用いることができる。上述の消臭本体１０とともに消臭具１を構成する取手、基台、スライドレールなどの付属体は、射出成形により消臭本体１０と一体成形してもよいし、成形後に消臭本体１０に取り付けてもよい。
【００２３】
次に消臭作用について説明する。
図３は、図２に示す消臭本体１０の合成樹脂２に含まれる消臭剤３を模式的に示す断面図、図４は図３に示す消臭剤３の臭気物質吸着作用を模式的に示す断面図である。  
【００２４】
図３に示すように、消臭剤３は合成樹脂２中に分散して存在する。本実施形態の消臭剤は無定形であるため、高い比表面積を有する。また、図４に示すように、消臭本体１０の表面及びその近傍に現れた消臭剤３が消臭機能を発揮する（この消臭本体の表面を消臭面とも言う）。先述したように、本実施形態では、消臭本体１０を薄い平板状に形成するとともに、複数の貫通孔１１を設けているので、消臭本体１０の体積に対して消臭剤３の現れる表面積を大きくすることができ、体積あたりの消臭効果を向上させることができる。
【００２５】
本実施形態の消臭剤３は、酸化亜鉛と二酸化ケイ素を主成分とし、消臭剤３が表出する消臭本体１０の表面は弱くイオン化された状態となっている。すなわち、酸化亜鉛はプラスにイオン化され（−Ｚｎ＋−Ｏ−）、二酸化ケイ素はマイナスにイオン化されている（シラノール基−Ｓｉ−Ｏ−−）。したがって、本例の消臭剤３は、酸及び塩基の両方の吸着部位を有し、酸化亜鉛に由来する塩基の吸着部位は、硫化水素Ｈ２ＳやメチルメルカプタンＣＨ３ＳＨなどの酸性の悪臭物質を吸着する一方、二酸化ケイ素に由来する酸の吸着部位は、アンモニアＮＨ３やトリメチルアミン（ＣＨ３）３Ｎといった塩基性の悪臭物質を吸着することができる。
【００２６】
このため、本実施形態の消臭本体１０は、四大悪臭のうち上述した塩基性の悪臭と酸性の悪臭の両方を含む庫内の臭気を効果的に消臭することができる。この消臭作用は、消臭本体１０に含まれる消臭剤の吸着部位が悪臭物質により飽和されるまで継続する。
【００２７】
さらに、消臭本体１０の表面の吸着部位が悪臭物質によって飽和されても、本実施形態の消臭本体１０は、水で洗うと消臭機能が復活し、繰り返し使用することができるといった再生機能を有する。これは、吸着されたガスのうちアンモニアや硫化水素などの水に溶ける悪臭物質を水に移行させることにより、消臭剤３の吸着部位を再度活性化させることができるからである。
【００２８】
なお、本実施形態の消臭本体１０の消臭剤３は、化学吸着により悪臭物質を消臭するので、物理吸着による消臭剤とは異なり、温室度の変化により悪臭物質を再放出することがないという利点もある。
【実施例】
【００２９】
次に、本考案の実施例を説明する。
実施例１〜６の消臭本体１０の試験片（１９．５×１１×１．３）cmを準備した（Ｎ＝４）。実施例１、４の試験片は、３．０wt％の消臭剤（二酸化ケイ素と酸化亜鉛を主成分とする消臭剤）をＰＰ樹脂に配合し、溶融後に射出成形したものであり、実施例２、５の試験片は消臭剤を６．０wt％配合したものであり、実施例３、６の試験片は消臭剤を７．５wt％配合したものである。
【００３０】
また、比較例２及び４の消臭剤として、ヤシガラ活性炭（株式会社白元製の一年脱臭ノンスメル，６００Ｌまでの冷蔵庫用，内容量８０ｇ）を０．５ｇずつ準備した。
【００３１】
所定濃度のアンモニアガス３Ｌを封入した５Ｌのテドラーバック（PVF（フッ化ビニル）樹脂製の密閉可能な容器）に、実施例１〜３の試験片とヤシガラ活性炭０．５ｇをそれぞれ入れ、経過時間ごとにアンモニアガスの濃度を検知管により測定した。また、比較例１として、消臭剤を入れない場合のアンモニアガスの濃度を測定した。測定結果を下掲の表１及び図５に示す。
【００３２】
【表１】
0003156575.tif 000003
【００３３】
表１及び図５に示すように、実施例１乃至実施例３は、比較例１及び２に比べてアンモニアの消臭効果が高く、また、消臭速度も速いことが分かった。また、実施例２及び実施例３の結果がほぼ同じであることから、消臭剤の配合率は６．０ｗｔ％以下であっても十分な消臭効果が得られることが分かった。
【００３４】
上記試験後、実施例１〜３の試験片を水洗し、十分に乾燥させて、実施例４〜６の試験片として準備した。
続いて、所定濃度の硫化水素ガス３Ｌを封入した５Ｌのテドラーバック（密閉可能な容器）に、実施例４〜６の試験片と新しいヤシガラ活性炭０．５ｇをそれぞれ入れ、経過時間ごとに硫化水素ガスの濃度を検知管により測定した。また、比較例４として、消臭剤を入れない場合の硫化水素ガスの濃度を測定した。測定結果を下掲の表２及び図６に示す。
【００３５】
【表２】
0003156575.tif 000004
【００３６】
表２及び図６に示すように、２４時間後において、実施例４乃至実施例６の消臭剤はテドラーバック内の硫化水素のほぼ全てを吸着し、消臭できたことが分かった。
また、実施例４〜６で用いた試験片は実施例１〜３でアンモニアガスを消臭した後に水洗したものであるにもかかわらず、新品のヤシガラ活性炭と同等に硫化水素ガスを消臭できたことが分かった。これにより、本実施例に係る試験片の消臭機能は水洗により再生可能であることが分かった。
【００３７】
このように、本実施例の消臭具１は、アンモニア臭や硫化水素臭などの生活臭を効果的に消臭することができる。
【００３８】
以上説明した実施形態は、本考案の理解を容易にするために記載されたものであって、本考案を限定するために記載されたものではない。したがって、上記の実施形態に開示された各要素は、本考案の技術的範囲に属する全ての設計変更や均等物をも含む趣旨である。本実施形態では、冷蔵庫用消臭剤を説明するが、冷蔵庫が備える冷凍室、野菜室、鮮魚肉室などを消臭するために用いることができる。
【符号の説明】
【００３９】
１…消臭具
１０…消臭本体
１１…貫通孔
２…合成樹脂
３…消臭剤
【図１】
0003156575.tif 000005
【図２】
0003156575.tif 000006
【図３】
0003156575.tif 000007
【図４】
0003156575.tif 000008
【図５】
0003156575.tif 000009
【図６】
0003156575.tif 000010